(57)【要約】      （修正有）【課題】自動販売機の据付け基礎の製作工期が短くて済むとともに地面を掘り起こすことができないロケーション先においても義務付けられた据付け基礎に匹敵する耐震性や防盗性を有する据付け基礎構造を提供する。【解決手段】コンクリートブロック１０は縦方向（自動販売機の前後方向）に長い短冊形に形成され、その一辺に山形の係合突起１０ａが、他辺に山形の係合凹部１０ｂがそれぞれ形成されている。ロケーション先では自動販売機の設置台数に応じた複数のコンクリートブロック１０を、隣接する一方のコンクリートブロック１０の係合突起１０ａを他方のコンクリートブロック１０の係合凹部１０ｂに嵌め込んでそれぞれ隣接するコンクリートブロック同士を結合させ、次いで連結ボルト１１を挿入して隣接するコンクリートブロック同士を強固に結合させる。このようにして組立られた据付け基礎構造にアンカーボルト３を打ち込んで自動販売機を固定する。【選択図】        図１
2005242525.tif 000002
【特許請求の範囲】
【請求項１】
自動販売機を据付け場所に設置固定するアンカーボルトが打ち込まれる基礎構造において、
前記基礎構造は、複数に分割したコンクリートブロックを並設し、隣接するコンクリートブロック同士を連結してなることを特徴とする自動販売機の据付け基礎構造。
【請求項２】
請求項１記載の据付け基礎構造において、コンクリートブロックは互いに隣接するコンクリートブロックと係合する係合部を有することを特徴とする自動販売機の据付け基礎構造。
【請求項３】
請求項１又は２に記載の据付け基礎構造において、コンクリートブロックはあらかじめアンカーボルトの固定穴が形成されていることを特徴とする自動販売機の据付け基礎構造。
【請求項４】
請求項１又は２に記載の据付け基礎構造において、コンクリートブロックを固定する基台を有し、この基台にコンクリートブロックを固定してなることを特徴とする自動販売機の据付け基礎構造。
【発明の詳細な説明】
【技術分野】
【０００１】
この発明は、自動販売機をロケーション先で据付け場所に設置固定するアンカーボルトが打ち込まれる据付け基礎構造に関する。
【背景技術】
【０００２】
清涼飲料やたばこなどを販売する自動販売機においては、ロケーション先で地震あるいはいたずら行為などで揺すられても不測に転倒することがないように、また、盗難を防止するために据付け基礎面にしっかりと固定することが義務付けられている。そこで、自動販売機をロケーション先に据付ける際には、あらかじめ設置場所に施工したコンクリートの基礎にアンカーボルトを打ち込み、自動販売機の基台四隅に配した支脚とアンカーボルトとの間に支脚固定金具を連結したうえで、この支脚固定金具が外れないように締結して自動販売機が設置場所から動かないように固定している。
【０００３】
この種の従来の自動販売機における据付け基礎構造を図５に示す。まず、図５において、１は自動販売機の本体キャビネット、２は本体キャビネット１の底部を形成する基台の四隅に配した支脚である。この支脚２は支脚ナットとレベリングボルトからなり、前記基台の四隅に支脚ナットが固着され、この支脚ナットにレベリングボルトが下方から螺合され、レベリングボルトを回すことにより自動販売機の高さを可調整とするものである。３は自動販売機の据付け位置に合わせてコンクリートからなる据付け基礎４に植設したアンカーボルト、５はアンカーボルト３に螺合する締結用のナット、６は本体キャビネット１の基台の四隅に配した支脚２とアンカーボルト３とを連結する支脚固定金具である。なお、支脚固定金具６は堅牢な鋼板製であり、支脚２をアンカーボルト３に連結することによって自動販売機が基礎４に動かないように固定する（例えば、特許文献１の図１３参照）。
【０００４】
ところで、コンクリートからなる据付け基礎４は、ロケーション先においてその据付け場所となる地面に穴を掘って砂利７を敷き詰めたうえでコンクリートを流し込む。そして、コンクリートを流し込んでから最低でも４週間の期間は放置してコンクリートを十分固めて作られる。そして、コンクリートが十分固まった据付け基礎４にアンカーボルト３を打ち込んで自動販売機を設置する。なお、アンカーボルト３はコンクリートを流し込む際に予め植設しておくこともある。また、前述したように自動販売機は据付け基礎面にしっかりと固定することが義務付けられているが、地面を掘り起こしてコンクリートを流し込むような据付け基礎を作れないアスファルト面や屋内などのロケーション先もある。
【特許文献１】特開２００３−３４６２３３号公報（図１３参照）
【発明の開示】
【発明が解決しようとする課題】
【０００５】
前述したとおり自動販売機の据付け基礎は地面に穴を掘って砂利を敷き詰めたうえでコンクリートを流し込む。そして、コンクリートを流し込んでからコンクリートが十分に固まるまで最低でも４週間放置して作られる。従って、自動販売機の設置に義務付けられている据付け基礎を作ってから据付け基礎にアンカーボルトを打ち込んで自動販売機を設置する場合には、自動販売機を設置するまでの工期が長くかかるという問題を有する。また、地面を掘り起こしてコンクリートを流し込むような据付け基礎を作れないアスファルト面や屋内などのロケーション先では、アンカーボルトをアスファルトや屋内床面に打ち込んで設置されているのが現状であり、このような場合には義務付けられた据付け基礎に対して耐震性や防盗性に劣るという問題がある。従って、義務付けられた据付け基礎工事を行うことができないロケーション先での耐震性や防盗性を有する自動販売機の据付け基礎の出現が望まれている。
【０００６】
本発明は上記の点に鑑みなされたものであり、その目的は前記課題を解決し、自動販売機の据付け基礎の工期が短くて済むとともに地面を掘り起こすことができないロケーション先においても義務付けられた据付け基礎に匹敵する耐震性や防盗性を有する自動販売機の据付け基礎構造を提供することにある。
【課題を解決するための手段】
【０００７】
上記目的を達成するために本発明によれば、自動販売機を据付け場所に設置固定するアンカーボルトが打ち込まれる基礎構造において、前記基礎構造は、複数に分割したコンクリートブロックを並設し、隣接するコンクリートブロック同士を連結してなることを特徴とする（請求項１）。
【０００８】
また、前記コンクリートブロックは互いに隣接するコンクリートブロックと係合する係合部を有することを特徴とする（請求項２）。
【０００９】
さらに、前記コンクリートブロックは予めアンカーボルトの固定穴が形成されていることを特徴とする（請求項３）。
【００１０】
そしてまた、コンクリートブロックを固定する基台を有し、この基台にコンクリートブロックを固定してなることを特徴とする（請求項４）。
【発明の効果】
【００１１】
請求項１に記載した本発明においては、複数に分割したコンクリートブロックを並設し、隣接するコンクリートブロック同士を連結することにより自動販売機の据付け基礎を形成することができるので、ロケーション先に自動販売機とともにコンクリートブロックを搬送して組立ることにより据付け基礎を容易に作るができ、従来の据付け基礎のようにコンクリートを固める期間が不要となり、自動販売機の据付け基礎工期の短縮化を図ることができる。また、複数に分割したコンクリートブロックを並設し、隣接するコンクリートブロック同士を連結することにより形成された自動販売機の据付け基礎は義務付けられた据付け基礎と同等の耐震性や防盗性を有することから、義務付けられた据付け基礎の工事を行うことができないロケーション先にも耐震性や防盗性に優れた自動販売機の据付け基礎を作ることができる。
【００１２】
また、請求項２に記載した自動販売機の据付け基礎構造においては、互いに隣接するコンクリートブロック同士が係合部により強固に連結されるという利点を有する。
【００１３】
さらに、請求項３に記載した自動販売機の据付け基礎構造においては、あらかじめアンカーボルトの固定穴が形成されていることによりロケーション先でアンカーボルトの打ち込み工事を行う必要がなく、アンカーボルトを容易に植設することができるという利点を有する。
【００１４】
そしてまた、請求項４に記載した自動販売機の据付け基礎構造においては、基台によりコンクリートブロックを安定した状態に保持できるとともにコンクリートブロックの重量に加えて基台の重量により据付け基礎構造の耐震性や防盗性が向上する。
【発明を実施するための最良の形態】
【００１５】
以下、本発明の実施の形態を図に示す実施例により説明する。図１は本発明の実施例を示す自動販売機の据付け基礎に固定された自動販売機の斜視図である。なお、図において、図５に示す従来装置と同一のものについては同一の符号を付してその説明を省略する。
【００１６】
図示実施例において図５に示す従来装置と相違する点は、複数に分割されたコンクリートブロック１０を並設し、隣接するコンクリートブロック１０を連結ボルト１１により連結して据付け基礎を作る点である。コンクリートブロック１０は縦方向（自動販売機の前後方向）に長い短冊形に形成され、その一辺に山形の係合突起１０ａが、他辺に山形の係合凹部１０ｂがそれぞれ形成されており、隣接する一方のコンクリートブロック１０の係合突起１０ａを他方のコンクリートブロック１０の係合凹部１０ｂに嵌め込むことにより両者が強固に結合される。前記係合突起１０ａおよび係合凹部１０ｂがそれぞれ係合部を構成する。前記コンクリートブロック１０は自動販売機の本体キャビネット１の前後方向に長さよりも長く、また、本体キャビネット１の幅方向の長さよりも短い。その一例を示せば、自動販売機の前後方向（縦）×左右方向（横）×高さが、６５０ｍｍ×１０００ｍｍ×１８３０ｍｍの場合、コンクリートブロック１０の縦×横×高さは、１２００ｍｍ×３００ｍｍ×１５０ｍｍに定められている。これはＪＩＳで定められた自動販売機の設置基準に沿うものである（ＪＩＳ Ｂ  ８５６２）。なお、コンクリートブロック１０の内部には鉄筋が埋め込まれた鉄筋コンクリートで製作されており、またそれぞれのコンクリートブロック１０には連結ボルト１１が挿入される穴が開けられている。
【００１７】
前記コンクリートブロック１０は自動販売機の設置時期に合わせて予め工場で生産してストックされており、自動販売機の設置時にロケーション先に搬送される。ロケーション先では自動販売機の設置台数に応じた複数のコンクリートブロック１０を、隣接する一方のコンクリートブロック１０の係合突起１０ａを他方のコンクリートブロック１０の係合凹部１０ｂに嵌め込んでそれぞれ隣接するコンクリートブロック同士を結合させ、次いで連結ボルト１１を挿入して隣接するコンクリートブロック同士を強固に結合させる。このようにして組立られた据付け基礎構造にアンカーボルト３を打ち込む。ここで、コンクリートブロック１０には予めアンカーボルト３の固定穴（不図示）を形成しておくことができ、この場合にはその固定穴にアンカーボルト３を挿入して固定すればよいので、ロケーション先でアンカーボルトの打ち込み工事を行う必要がなく、アンカーボルトを容易に植設することができる。そして、自動販売機の底部を形成する基台の四隅に配した支脚２とアンカーボルト３との間を支脚固定金具６で連結することにより自動販売機の設置が完了する。前述したとおり、複数に分割したコンクリートブロック１０を並設し、隣接するコンクリートブロック同士を連結して自動販売機の据付け基礎を形成することにより、自動販売機はコンクリートブロック同士を連結した据付け基礎にしっかりと固定される。従って、地震あるいはいたずら行為などで揺すられても自動販売機が不測に転倒することがなく、また、コンクリートブロック同士を連結した据付け基礎が自動販売機の盗難を妨げ、本発明におけるコンクリートブロック同士を連結した据付け基礎は義務付けられた自動販売機の据付け基礎と同等の耐震性および防盗性を有するものである。
【００１８】
次に、図２は図１に示す自動販売機の据付け基礎構造の実施例における変形例を示すものである。図示変形例において図１に示す実施例と相違する点はコンクリートブロック１２の形状である。すなわち、図１に示す実施例ではコンクリートブロック１０が一辺に山形の係合突起１０ａを、他辺に山形の係合凹部１０ｂをそれぞれ有する形状であるのに対し、図２に示す変形例ではコンクリートブロック１２が段差１２ａ、１２ｂにより階段状に形成されている点である。前記コンクリートブロック１２の段差１２ａ、１２ｂがそれぞれ係合部を構成する。このコンクリートブロック１２も図１のコンクリートブロック１０と同様に、それぞれ隣接するコンクリートブロック１２の段差１２ａ、１２ｂを結合させ、次いで連結ボルト１１を挿入して隣接するコンクリートブロック同士を強固に結合させることにより自動販売機の据付け基礎構造が形成される。
【００１９】
次に、図３および図４は本発明の異なる実施例を示す自動販売機の据付け基礎に固定された自動販売機の斜視図である。図示実施例が図１に示す実施例と相違する点は、図１に示す実施例がコンクリートブロック１０のみで据付け基礎を形成しているのに対し、図３に示す実施例ではコンクリートブロック１３と基台１４とにより据付け基礎を形成した点である。据付け基礎を形成する前記基台１４は、図４に示すように、鉄板を折り曲げた鉄枠からなり、上面に複数の係合穴１４ａが等間隔に開けられている。一方、据付け基礎を形成するコンクリートブロック１３は、図４に示すように、前記基台１４の係合穴１４ａに嵌め込まれる係合脚１３ａを有するＴ字形に形成されている。前記コンクリートブロック１３および基台１４にはそれぞれ連結ボルト１１が挿入される穴１３ｂ，１４ｂがそれぞれ開けられている。この実施例においては、基台１４の係合穴１４ａにコンクリートブロック１３の係合脚１３ａを嵌め込み、次いでコンクリートブロック１３および基台１４の穴１３ｂ，１４ｂに連結ボルト１１を挿入してコンクリートブロック１３と基台１４とを強固に結合させることにより据付け基礎が形成される。この実施例によれば、基台１４によりコンクリートブロック１３を安定した状態に保持できるとともにコンクリートブロック１３の重量に加えて基台１４の重量により据付け基礎構造の耐震性や防盗性が向上する。
【００２０】
なお、前述した各実施例では２台の自動販売機を設置した例について説明したが、自動販売機は１台でも、また３台以上でもよく、自動販売機の設置台数に応じてコンクリートブロックを連結することによって自動販売機をしっかりと固定できる据付け基礎を作ることが可能なものである。また、連結ボルト１１によって隣接するコンクリートブロックを結合することについて説明したが、コンクリートブロック同士を接着させることもできる。しかし、据付け基礎の解体を考慮すると据付け基礎の解体が容易な連結ボルト１１でコンクリートブロック同士を連結させるのがよい。
以上述べた本発明は、清涼飲料やたばこなどを販売する自動販売機に適用することができる。
【図面の簡単な説明】
【００２１】
【図１】本発明の実施例を示す自動販売機の据付け基礎に固定された自動販売機の斜視図
【図２】図１の変形例を示す自動販売機の据付け基礎に固定された自動販売機の斜視図
【図３】本発明の異なる実施例を示す自動販売機の据付け基礎に固定された自動販売機の斜視図
【図４】図３に示すコンクリートブロックと基台の分解斜視図
【図５】従来の自動販売機の据付け基礎構造を示す斜視図
【符号の説明】
【００２２】
１    自動販売機の本体キャビネット
２    支脚
３    アンカーボルト
６    支脚固定金具
１０    コンクリートブロック
１０ａ    係合突起（係合部）
１０ｂ    係合凹部（係合部）
１１    連結ボルト
１２    コンクリートブロック
１１ａ    段差（係合部）
１０ｂ    段差（係合部）
１３      コンクリートブロック
１３ａ      係合脚
１４      基台
【図１】
2005242525.tif 000003
【図２】
2005242525.tif 000004
【図３】
2005242525.tif 000005
【図４】
2005242525.tif 000006
【図５】
2005242525.tif 000007